(57)【要約】      （修正有）【課題】容器本体や蓋部材の強度を低下させることなく、結束バンドによる作業性を向上させた運搬用容器を提供する。【解決手段】容器本体Ｃ１と該容器本体の開口部を被蓋する、容器本体にヒンジ連結された蓋部材５とからなる運搬用容器において、蓋部材が、一対の半蓋体５’から構成されているとともに、一方の半蓋体及びもう一方の半蓋体には、それぞれ結束バンド用ブロック部材Ｓが形成されており、一方の半蓋体に形成された結束バンド用ブロック部材ともう一方の半蓋体に形成された結束バンド用ブロック部材とを、その先端部側に形成された開放部が、互いに対向するように配置したものである。【効果】一方の半蓋体に形成された結束バンド用ブロック部材ともう一方の半蓋体に形成された結束バンド用ブロック部材への結束バンドの挿入作業の作業性が向上する。【選択図】図３
2010001026.tif 000002
【特許請求の範囲】
【請求項１】
容器本体と該容器本体の開口部を被蓋する、容器本体にヒンジ連結された蓋部材とからなる運搬用容器において、蓋部材が、一対の半蓋体から構成されているとともに、一方の半蓋体及びもう一方の半蓋体には、それぞれ結束バンド用ブロック部材が形成されており、一方の半蓋体に形成された結束バンド用ブロック部材ともう一方の半蓋体に形成された結束バンド用ブロック部材とは、その先端部側に形成された開放部が、互いに対向するように配置されていることを特徴とする運搬用容器。
【請求項２】
容器本体と該容器本体の開口部を被蓋する、容器本体にヒンジ連結された蓋部材とからなる運搬用容器において、一つの蓋部材に、一方の結束バンド用ブロック部材が形成されているとともに、容器本体に、もう一方の結束バンド用ブロック部材が形成されており、蓋部材に形成された一方の結束バンド用ブロック部材と容器本体に形成されたもう一方の結束バンド用ブロック部材とは、その先端部側に形成された開放部が、互いに対向するように配置されていることを特徴とする運搬用容器。
【請求項３】
結束バンド用ブロック部材に、結束バンドが挿入される透孔が穿設されているとともに、結束バンド用ブロック部材を構成する連結壁部の内壁面には、透孔の上部から下部に向かって、下方に傾斜した傾斜面を有する案内ブロックが形成されていることを特徴とする請求項１又は請求項２に記載の運搬用容器。
【請求項４】
結束バンド用ブロック部材の天部に、所定の間隔を置いて、一対のリブが形成されているいることを特徴とする請求項１又は請求項２に記載の運搬用容器。
【発明の詳細な説明】
【技術分野】
【０００１】
本発明は、容器本体と該容器本体にヒンジ連結された蓋部材とからなる運搬用容器に関するものである。
【背景技術】
【０００２】
従来、運搬用容器を構成する容器本体としては、底部と側壁が一体成形された、側壁が底部に重なるように折り畳むことができない、所謂、ボックスタイプの容器本体や、側壁が底部に重なるように折り畳まれる、所謂、折り畳み可能な容器本体が知られている。このような運搬用容器の容器本体には、蓋部材がヒンジ連結されているとともに、蓋部材が、簡単に、開けられないように、容器本体へ蓋部材を、特定の留め具により取着するようにした運搬用容器が、一例として、特許文献１に開示されている。
【０００３】
【特許文献１】実用新案登録番号第３００５１９８号公報
【発明の開示】
【発明が解決しようとする課題】
【０００４】
上述した従来の運搬用容器においては、容器本体と蓋部材とに、透孔を穿設し、  透孔に、止め具を挿着するするようしたものであり、容器本体と蓋部材とに透孔が穿設されているために、容器本体の強度や蓋部材の強度が低下するという問題があった。
【０００５】
また、容器本体と該容器本体にヒンジ連結された蓋部材との間には、がたが存在するので、止め具の透孔への挿着作業の際には、容器本体に穿設された透孔と蓋部材に穿設された透孔との位置合わせをしなければならず、従って、止め具の透孔への挿着作業の作業性が悪いという問題があった。
【０００６】
本発明の目的は、上述した従来の運搬用容器が有する課題を解決することにある。
【課題を解決するための手段】
【０００７】
本発明は、上述した目的を達成するために、容器本体と該容器本体の開口部を被蓋する、容器本体にヒンジ連結された蓋部材とからなる運搬用容器において、第１には、蓋部材が、一対の半蓋体から構成されているとともに、一方の半蓋体及びもう一方の半蓋体には、それぞれ結束バンド用ブロック部材が形成されており、一方の半蓋体に形成された結束バンド用ブロック部材ともう一方の半蓋体に形成された結束バンド用ブロック部材とを、その先端部側に形成された開放部が、互いに対向するように配置したものであり、第２には、一つの蓋部材に、一方の結束バンド用ブロック部材が形成されているとともに、容器本体には、もう一方の結束バンド用ブロック部材が形成されており、蓋部材に形成された一方の結束バンド用ブロック部材と容器本体に形成されたもう一方の結束バンド用ブロック部材とを、その先端部側に形成された開放部が、互いに対向するように配置したものであり、第３には、結束バンド用ブロック部材に、結束バンドが挿入される透孔が穿設されているとともに、結束バンド用ブロック部材を構成する連結壁部の内壁面には、透孔の上部から下部に向かって、下方に傾斜した傾斜面を有する案内ブロックを形成したものであり、第４には、結束バンド用ブロック部材の天部に、所定の間隔を置いて、一対のリブを形成したものである。
【発明の効果】
【０００８】
蓋部材が、一対の半蓋体から構成されているとともに、一方の半蓋体及びもう一方の半蓋体には、それぞれ結束バンド用ブロック部材が形成されており、一方の半蓋体に形成された結束バンド用ブロック部材ともう一方の半蓋体に形成された結束バンド用ブロック部材とを、その先端部側に形成された開放部が、互いに対向するように配置したので、一方の半蓋体に形成された結束バンド用ブロック部材ともう一方の半蓋体に形成された結束バンド用ブロック部材への結束バンドの挿入が容易になり、従って、一方の半蓋体に形成された結束バンド用ブロック部材ともう一方の半蓋体に形成された結束バンド用ブロック部材への結束バンドの挿入作業の作業性が向上する。
【０００９】
一つの蓋部材に、一方の結束バンド用ブロック部材が形成されているとともに、容器本体には、もう一方の結束バンド用ブロック部材が形成されており、蓋部材に形成された一方の結束バンド用ブロック部材と容器本体に形成されたもう一方の結束バンド用ブロック部材とを、その先端部側に形成された開放部が、互いに対向するように配置したので、蓋部材に形成された一方の結束バンド用ブロック部材と容器本体に形成されたもう一方の結束バンド用ブロック部材への結束バンドの挿入が容易になり、従って、蓋部材に形成された一方の結束バンド用ブロック部材と容器本体に形成されたもう一方の結束バンド用ブロック部材への結束バンドの挿入作業の作業性が向上する。
【００１０】
結束バンド用ブロック部材に、結束バンドが挿入される透孔が穿設されているとともに、結束バンド用ブロック部材を構成する連結壁部の内壁面には、透孔の上部から下部に向かって、下方に傾斜した傾斜面を有する案内ブロックを形成したので、結束バンドの先端部が、案内ブロックの傾斜面に案内されながら、先端部側の開放部方向に向きを変えることができるので、結束バンドの結束バンド用ブロック部材への挿入を容易に行うことができる。また、相対する結束バンド用ブロック部材を緊諦している結束バンドを切断した後、結束バンド用ブロック部材の空洞内に残存している結束バンドを引き抜く際にも、空洞内に残存している結束バンドが、案内ブロックの傾斜面に沿って案内されながら、結束バンド用ブロック部材の空洞から引き抜かれるので、結束バンド用ブロック部材の空洞内に残存している結束バンドの引き抜きが容易となる。
【００１１】
結束バンド用ブロック部材の天部に、所定の間隔を置いて、一対のリブを形成したので、結束バンド用ブロック部材に形成されたリブが、補強リブとして機能するので、結束バンド用ブロック部材が変形したり、損傷するようなことを防止することができる。
【００１２】
また、結束バンド用ブロック部材の天部に、所定の間隔を置いて、一対のリブを形成したので、カッターにより、結束バンド用ブロック部材を傷つけることなく、結束バンドを切断し、結束バンド用ブロック部材の結束バンドによる緊諦を解除することができる。また、ニッパーにより、結束バンドを切断する際にも、ニッパーの下方に位置する切断刃を、一対のリブ間に形成された凹部に挿入することができるので、結束バンドを、容易に切断することができ、ニッパーによる結束バンドの切断作業の作業性が向上する。
【実施例】
【００１３】
以下に、折り畳み可能な容器本体と該折り畳み可能な容器本体にヒンジ連結された蓋部材とからなる運搬用容器を例に、本発明の実施例について説明するが、本発明の趣旨を越えない限り何ら、本実施例に限定されるものではない。
【００１４】
先ず最初に、図１〜図４を用いて、運搬用容器の全体構成について説明する。  
【００１５】
折り畳み可能な容器本体（以下、単に、容器本体という。）Ｃ１は、額縁状の上部フレーム１と、底部２と、上部フレーム１にその上端部がヒンジ連結された、容器本体Ｃ１の内側方向に回動可能な側壁（以下、この側壁を、はね上げ側壁という。）３と、分割側壁４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【００１６】
容器本体Ｃ１に被蓋される蓋部材５は、一対の半蓋体５’により構成されており、半蓋体５’の直線状の長辺部５ａが、適当なヒンジ部材Ｈ１により、上部フレーム１の相対する長辺枠１ａにヒンジ連結されている。また、図５に示されているように、半蓋体５’の直線状の長辺部５ａと相対する辺部には、複数の嵌合凸部５ｂと、嵌合凸部５ｂ間に位置する嵌合凹部５ｃが形成されている。更に、嵌合凹部５ｃには、嵌合凸部５ｂの根元側に位置する嵌合凹部５ｃの一部を閉鎖する閉鎖段差部５ｄが形成されている。
【００１７】
図１や図４に示されているように、箱型に組み立てられた容器本体Ｃ１を折り畳むには、先ず最初に、略垂直状態のはね上げ側壁３を、上方に回動させて、図２に示されているように、略水平状態とし、次いで、分割側壁４を構成する上部分割側壁４’と下部分割側壁４”とを連結するヒンジ部を、内側方向に移動させて、上部分割側壁４’と下部分割側壁４”とを互いに重なることにより、図３に示されているように、高さの低いコンパクトな状態に折り畳むことができるように構成されている。また、底部２に対して、上部フレーム１を上方に持ち上げて、互いに重ねられていた上部分割側壁４’と下部分割側壁４”とを、略面一状態にし、次いで、略水平状態のはね上げ側壁３を、下方に回動させて、略垂直状態とすることにより、箱型に組み立てることができるように構成されている。
【００１８】
図１や図４に示されているように、箱型に組み立てられた容器本体Ｃ１の開口部、即ち、上部フレーム１の開口部、或い、図３に示されているように、折り畳まれた状態の上部フレーム１の開口部を、一対の半蓋体５’からなる蓋部材５により被蓋した際には、一方の半蓋体５’の嵌合凸部５ｂが、もう一方の半蓋体５’の嵌合凹部５ｃに嵌合されるとともに、一方の半蓋体５’の嵌合凸部５ｂの先端部が、もう一方の半蓋体５’の閉鎖段差部５ｄに載置されるように構成されている。
【００１９】
図５に示されているように、容器本体Ｃ１の開口部を、一対の半蓋体５’により被蓋した際に、上部フレーム１の短辺枠１ｂの上面１ｂ１に当接、或いは、近接して位置する半蓋体５’の先端角部領域５ｅ（半蓋体５’の相対する短辺部５ｆと、嵌合凸部５ｂ及び嵌合凸部５ｂが形成されている波形状辺部５ｇとにより形成される角部領域）の上面５ｅ１には、結束バンド用ブロック部材Ｓが形成されている。
【００２０】
図６及び図７に示されているように、結束バンド用ブロック部材Ｓは、天部ｓ１と、半蓋体５’の短辺部５ｆに沿った相対する側壁部ｓ２と、半蓋体５’の直線状の長辺部５ａ側に位置するとともに、相対する側壁部ｓ２の一方の端部を連結する連結壁部ｓ３とを有している。また、天部ｓ１の上面の先端部領域には、所定の間隔を置いて、且つ、側壁部ｓ２に略垂直に、一対のリブｓ４が突設されており、リブｓ４は、適宜、側壁部ｓ２方向に延在し、半蓋体５’の上面５ｈ１まで達している。天部ｓ１の上面に、このような一対のリブｓ４を形成することにより、一対のリブｓ４間には、凹部ｓ５が形成されている。
【００２１】
また、連結壁部ｓ３と、一対のリブｓ４のうち、連結壁部ｓ３側に位置するリブｓ４との間に位置する天部ｓ１には、透孔ｓ６が穿設されている。更に、連結壁部ｓ３の内壁面ｓ３１には、透孔ｓ６の上部から下部に向かって、下方に傾斜した傾斜面ｓ７ａを有する案内ブロックｓ７が形成されている。
【００２２】
上述した構成により、結束バンド用ブロック部材Ｓ内には、空洞が形成されているとともに、底無しで、且つ、結束バンド用ブロック部材Ｓの先端部側は開放され、開放部ｓ８が形成されている。
【００２３】
図４に示されているように、箱型に組み立てられた容器本体Ｃ１の開口部を、蓋部材５を構成する一対の半蓋体５’により被蓋した際には、図８及び図９に示されているように、一方の半蓋体５’の先端角部領域５ｅの上面５ｅ１に形成された結束バンド用ブロック部材Ｓの先端部側の開放部ｓ８と、もう一方の半蓋体５’の先端角部領域５ｅの上面５ｅ１に形成された結束バンド用ブロック部材Ｓの先端部側の開放部ｓ８とが、互いに対向するように構成されているとともに、半蓋体５’の下面５ｈ２が、上部フレーム１の短辺枠１ｂの上面１ｂ１に当接、或いは、近接して位置するように構成されている。
【００２４】
その後、一方の半蓋体５’に形成された結束バンド用ブロック部材Ｓの天部ｓ１に穿設された透孔ｓ６に、透孔ｓ６の上方から、図１０に示されているような周知の結束バンドＢのバンド部ｂ１の先端部ｂ１ａを挿入すると、バンド部ｂ１の先端部ｂ１ａは、案内ブロックｓ７の傾斜面ｓ７ａに案内されながら、開放部ｓ８方向に向きを変えるとともに、上部フレーム１の短辺枠１ｂの上面１ｂ１に当接しながら、先端部側の開放部ｓ８から排出され、更に、一方の半蓋体５’に形成された結束バンド用ブロック部材Ｓの天部ｓ１に穿設された透孔ｓ６に挿入され、先端部側の開放部ｓ８から排出されたバンド部ｂ１の先端部ｂ１ａは、もう一方の半蓋体５’に形成された結束バンド用ブロック部材Ｓの先端部側の開放部ｓ８に挿入されるとともに、もう一方の半蓋体５’に形成された結束バンド用ブロック部材Ｓに形成された案内ブロックｓ７の傾斜面ｓ７ａに案内されながら、上方に向かい、透孔ｓ６から排出されることになる。次いで、バンド部ｂ１の先端部ｂ１ａを、結束バンドＢの係止筒ｂ２に挿入するとともに、係止筒ｂ２に形成されている、図示されていない係止爪を、バンド部ｂ１に形成された多数の溝ｂ１ｂの一つに係止させることにより、図１１及び図１２に示されているように、一方の半蓋体５’に形成された結束バンド用ブロック部材Ｓともう一方の半蓋体５’に形成された結束バンド用ブロック部材Ｓとを、結束バンドＢにより緊諦する。
【００２５】
図１１及び図１２に示されているように、一方の半蓋体５’に形成された結束バンド用ブロック部材Ｓともう一方の半蓋体５’に形成された結束バンド用ブロック部材Ｓとが、結束バンドＢにより緊諦された際には、結束バンドＢのバンド部ｂ１が、一方の半蓋体５’に形成された結束バンド用ブロック部材Ｓの天部ｓ１に形成された一対のリブｓ４間に形成された凹部ｓ５、もう一方の半蓋体５’に形成された結束バンド用ブロック部材Ｓの天部ｓ１に形成された一対のリブｓ４間に形成された凹部ｓ５、及び、一方の半蓋体５’に形成された結束バンド用ブロック部材Ｓの天部ｓ１に形成された一対のリブｓ４のうち、もう一方の半蓋体５’側に位置するリブｓ４と、もう一方の半蓋体５’に形成された結束バンド用ブロック部材Ｓの天部ｓ１に形成された一対のリブｓ４のうち、一方の半蓋体５’側に位置するリブｓ４との間に形成された間隙ｓ９に架橋されることになる。従って、一対のリブｓ４間に形成された凹部ｓ５、或いは、一方の半蓋体５’に形成された結束バンド用ブロック部材Ｓの天部ｓ１に形成された一対のリブｓ４のうち、もう一方の半蓋体５’側に位置するリブｓ４と、もう一方の半蓋体５’に形成された結束バンド用ブロック部材Ｓの天部ｓ１に形成された一対のリブｓ４のうち、一方の半蓋体５’側に位置するリブｓ４との間に形成された間隙ｓ９を架橋する結束バンドＢのバンド部ｂ１部分を、一枚刃状のカッターで切断することにより、一枚刃状のカッターにより、結束バンド用ブロック部材Ｓを傷つけることなく、一方の半蓋体５’に形成された結束バンド用ブロック部材Ｓともう一方の半蓋体５’に形成された結束バンド用ブロック部材Ｓとの結束バンドＢによる緊諦を解除することができる。
【００２６】
また、鋏状のカッターにより、結束バンドＢのバンド部ｂ１を切断する際にも、鋏状のカッターの下方に位置する切断刃を、一対のリブｓ４間に形成された凹部ｓ５、或いは、一方の半蓋体５’に形成された結束バンド用ブロック部材Ｓの天部ｓ１に形成された一対のリブｓ４のうち、もう一方の半蓋体５’側に位置するリブｓ４と、もう一方の半蓋体５’に形成された結束バンド用ブロック部材Ｓの天部ｓ１に形成された一対のリブｓ４のうち、一方の半蓋体５’側に位置するリブｓ４との間に形成された間隙ｓ９に挿入することができるので、結束バンドＢのバンド部ｂ１を、容易に切断することができ、鋏状のカッターによる結束バンドＢのバンド部ｂ１の切断作業の作業性が向上する。
【００２７】
更に、一方の半蓋体５’に形成された結束バンド用ブロック部材Ｓともう一方の半蓋体５’に形成された結束バンド用ブロック部材Ｓとを、結束バンドＢにより強く緊諦しても、結束バンド用ブロック部材Ｓに形成されたリブｓ４が、補強リブとして機能するので、結束バンド用ブロック部材Ｓが変形したり、損傷するようなことを防止することができる。特に、上述したように、リブｓ４が、天部ｓ１から側壁部ｓ２方向に延在し、更に、半蓋体５’の上面５ｈ１まで達するように構成することにより、結束バンド用ブロック部材Ｓの強度を更に高めることができ、従って、結束バンド用ブロック部材Ｓの変形や損傷を、確実に防止することができる。
【００２８】
更にまた、結束バンド用ブロック部材Ｓを構成する連結壁部ｓ３の内壁面ｓ３１には、透孔ｓ６の上部から下部に向かって、下方に傾斜した傾斜面ｓ７ａを有する案内ブロックｓ７が形成されているので、透孔ｓ６に挿入される結束バンドＢのバンド部ｂ１の先端部ｂ１ａが、案内ブロックｓ７の傾斜面ｓ７ａに案内されながら、先端部側の開放部ｓ８方向に向きを変えることができるので、結束バンドＢの結束バンド用ブロック部材Ｓへの挿入を容易に行うことができる。従って、一方の半蓋体５’に形成された結束バンド用ブロック部材Ｓともう一方の半蓋体５’に形成された結束バンド用ブロック部材Ｓとの緊諦作業の作業性が向上する。
【００２９】
なお更に、結束バンド用ブロック部材Ｓを構成する連結壁部ｓ３の内壁面ｓ３１には、透孔ｓ６の上部から下部に向かって、下方に傾斜した傾斜面ｓ７ａを有する案内ブロックｓ７が形成されているので、相対する結束バンド用ブロック部材Ｓを緊諦している結束バンドＢを切断した後、結束バンド用ブロック部材Ｓの空洞内に残存している結束バンドＢを引き抜く際にも、空洞内に残存している結束バンドＢが、案内ブロックｓ７の傾斜面ｓ７ａに沿って案内されながら、結束バンド用ブロック部材Ｓの空洞から引き抜かれるので、結束バンド用ブロック部材Ｓの空洞内に残存している結束バンドのＢ引き抜きが容易となる。
【００３０】
図１３及び図１４には、上述した実施例における一対（２つ）の半蓋体５’からなる蓋部材５に代えて、一つの蓋体からなる蓋部材５０が、容器本体Ｃ１を構成する上部フレーム１の相対する長辺枠１ａの一方の長辺枠１ａに、ヒンジ部材Ｈ１を介してヒンジ連結された、一つの蓋部材５０が示されている。
【００３１】
この実施例においては、蓋部材５０には、蓋部材５０のヒンジ連結されていない側に位置する長辺部５０ａと短辺部５０ｂとにより形成される角部に、切り欠き部５０ｃが形成されている。
【００３２】
容器本体Ｃ１を、蓋部材５０で被蓋した際に、蓋部材５０の切り欠き部５０ｃに近接して位置するとともに、上部フレーム１の短辺枠１ｂの上面１ｂ１に当接、或いは、近接して位置する蓋部材５０の短辺部５０ｂの上面には、上述した結束バンド用ブロック部材Ｓが形成されており、また、蓋部材５０の切り欠き部５０ｃが位置する容器本体Ｃ１の角部にも、蓋部材５０に形成された結束バンド用ブロック部材Ｓの開放部ｓ８と、開放部ｓ８が互いに対向するように、結束バンド用ブロック部材Ｓが形成されている。
【００３３】
上述したように、結束バンド用ブロック部材Ｓの一方を、蓋部材５０に形成し、また、結束バンド用ブロック部材Ｓのもう一方を、容器本体Ｃ１の角部に形成することもできる。なお、蓋部材５０に形成された一方の結束バンド用ブロック部材Ｓと容器本体Ｃ１に形成されたもう一方の結束バンド用ブロック部材Ｓとの結束バンドＢによる緊諦作業は、上述した実施例と同じであるので、その説明は省略する。
【図面の簡単な説明】
【００３４】
【図１】図１は、折り畳み可能な容器本体と蓋部材とからなる本発明の運搬用容器で、容器本体が箱型に組み立てられ、且つ、蓋部材が開けられた状態の斜視図である。
【図２】図２は、図１に示されている容器本体の組み立て、或いは、折り畳み途中の斜視図である。
【図３】図３は、図１に示されている容器本体が折り畳まれ、且つ、容器本体が蓋部材で被蓋された状態の斜視図である。
【図４】図４は、図１に示されている容器本体が組み立てられ、且つ、蓋部材で被蓋された状態の斜視図である。
【図５】図５は、図１に示されている蓋部材を構成する半蓋体の斜視図である。
【図６】図６は、図１に示されている蓋部材を構成する半蓋体の部分拡大斜視図である。
【図７】図７は、図１に示されている蓋部材を構成する半蓋体の部分拡大垂直断面図である。
【図８】図８は、図１に示されている蓋部材の部分拡大斜視図である。
【図９】図９は、図１に示されている蓋部材の部分拡大垂直断面図である。
【図１０】図１０は、結束バンドの正面図である。
【図１１】図１１、図１に示されている蓋部材の結束バンド用ブロック部材が結束バンドにより緊諦された状態のの部分拡大斜視図である。
【図１２】図１２、図１に示されている蓋部材の結束バンド用ブロック部材が結束バンドにより緊諦された状態のの部分拡大垂直断面図である。
【図１３】図１３は、容器本体が組み立てられ、且つ、別の実施例の蓋部材で被蓋された状態の斜視図である。
【図１４】図１４は、図１３に示されている運搬用容器の部分拡大斜視図である。
【符号の説明】
【００３５】
Ｂ・・・・・・・・結束バンド
Ｃ１・・・・・・・容器本体
Ｓ・・・・・・・・結束バンド用ブロック部材
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５、５０・・・・・蓋部材
５’・・・・・・・半蓋体
【図１】
2010001026.tif 000003
【図２】
2010001026.tif 000004
【図３】
2010001026.tif 000005
【図４】
2010001026.tif 000006
【図５】
2010001026.tif 000007
【図６】
2010001026.tif 000008
【図７】
2010001026.tif 000009
【図８】
2010001026.tif 000010
【図９】
2010001026.tif 000011
【図１０】
2010001026.tif 000012
【図１１】
2010001026.tif 000013
【図１２】
2010001026.tif 000014
【図１３】
2010001026.tif 000015
【図１４】
2010001026.tif 000016